(57)【要約】      （修正有）【課題】電磁波を減衰するヘアードライヤーの電熱線構造を提供する。【解決手段】ヘアードライヤーの電熱線構造は、絶縁プレート組（１０）と電熱線（２０）を含み、該絶縁プレート組は、複数の絶縁プレート（１１）からなり、隣合う絶縁プレートのそれぞれの間に４つの電熱線収容空間（３０）が形成され、各絶縁プレートの両端には夫々導電端（１１０）が設けられ、前記電熱線は、連続して折り曲げられて、隣合う絶縁プレートの収容空間に設けられるらせん状の電線からなり、該電熱線の両端が該導電端と接続し、前記電熱線には、異なる方向へ折り曲げられた電熱線ユニットが設けられる。【選択図】図１
0003117518.tif 000002
【実用新案登録請求の範囲】
【請求項１】
絶縁プレート組と電熱線を含み、該絶縁プレート組は、複数の絶縁プレートからなり、隣合う絶縁プレートとの間に収容空間が形成され、各絶縁プレートの両端に夫々導電端が設けられ、電熱線は、連続に折り曲げられて、隣合う絶縁プレートとの収容空間に設けられたらせん状の電線からなり、該電熱線の両端が該導電端と接続し、前記電熱線には異なる方向へ折り曲げられた電熱線ユニットが設けられることを特徴とするヘアードライヤーの電熱線構造。
【請求項２】
絶縁プレート組に４つの収容空間が形成され、各収容空間夫々に一つずつ電熱線が設けられることを特徴とする請求項１に記載のヘアードライヤーの電熱線構造。
【請求項３】
絶縁プレート組に４つの収容空間が形成され、該絶縁プレート組において、相対向する２つの収容空間にだけ夫々一つずつ電熱線が設けられることを特徴とする請求項１に記載のヘアードライヤーの電熱線構造。
【考案の詳細な説明】
【技術分野】
【０００１】
本考案は、特に電熱線より発生する電磁波を減衰するようにしたヘアードライヤーの電熱線構造に関するものである。
【背景技術】
【０００２】
一般に、ヘアードライヤーは、電熱方式によって熱風を発生させることにより、洗い髪等の水分を速かに蒸発乾燥させるようにするものである。
図５及び図６に示すように、従来のヘアードライヤーは、ケース４０と、モータ５０と、ファン６０と、ヒーターユニット７０とを有し、該ケース４０の内部に収容部４３が形成されると共に、一端に中空状のバルレ４２が設けられ、該収容部４３の内部に前記モータ５０が設けられ、該モータ５０の駆動軸にバルレ４２方向への送風を行うファン６０が設けられる。該バルレ４２の内部にはヒーターユニット７０が設けられている。これにより、熱風をバルレ４２から送り出すことができる。又、該ヒーターユニット（加熱機構）７０には、絶縁プレート組７１と、該絶縁プレート組７１にらせん状のように巻き回わされた電熱線７２が設けられている。
【考案の開示】
【考案が解決しようとする課題】
【０００３】
しかしながら、前記らせん状のように巻き回わされる電熱線７２は、巻回数が多ければ多いほど電磁波が強くなる傾向がある。又、この電磁波は、人体に対して悪影響を与える恐れがあるので、改良する必要がある。
【０００４】
そこで、案出されたのが本考案であって、電磁波を減衰させるようにしたヘアードライヤーの電熱線構造を提供することを目的としている。
【課題を解決するための手段】
【０００５】
本願の請求項１の考案は、絶縁プレート組と電熱線を含み、該絶縁プレート組は、複数の絶縁プレートからなり、隣合う絶縁プレートの間に収容空間が形成され、各絶縁プレートの両端に夫々導電端が設けられ、電熱線は、連続折り曲げられて隣合う絶縁プレートの収容空間に設けられるらせん状の電線からなり、該電熱線の両端が該導電端と接続し、電熱線に異なる方向へ折り曲げられる電熱線ユニットが設けられることを特徴とするヘアーヘアードライヤーの電熱線構造、を提供する。
【０００６】
本願の請求項２の考案は、絶縁プレート組に四つの収容空間が形成され、各収容空間に夫々一つの電熱線が設けられることを特徴とする請求項１に記載のヘアーヘアードライヤーの電熱線構造、を提供する。
【０００７】
本願の請求項３の考案は、絶縁プレート組に四つの収容空間が形成され、該絶縁プレート組において、対向する二つの収容空間に夫々一つの電熱線が設けられることを特徴とする請求項１に記載のヘアーヘアードライヤーの電熱線構造、を提供する。
【考案の効果】
【０００８】
本考案は上記の課題を解決するものであり、絶縁プレート組と電熱線を含み、該絶縁プレート組は、四枚の絶縁プレートからなる断面が十字形であり、隣合う絶縁プレートとの間に収容空間が形成され、各絶縁プレートの両端に夫々導電端が設けられ、電熱線は連続折り曲げられて隣合う絶縁プレートの収容空間に設けられるらせん状の電線からなり、該電熱線の両端が該導電端と接続され、電熱線に異なる方向へ折り曲げられる電熱線ユニットが設けられ、各電熱線ユニットによって発生する磁場が異なり、各磁場を相殺することにより減衰させ、電磁波の影響を少なくすることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１０】
図１は本考案に係るヘアードライヤーの電熱線構造の第１実施例を示す斜視図であり、図２は本考案に係るヘアードライヤーの電熱線構造の部分斜視図であり、図３は本考案に係るヘアードライヤーの電熱線構造の第２実施例を示す斜視図であり、図４は本考案に係るヘアードライヤーの電熱線構造の第２実施例の変形例を示す斜視図である。
【００１１】
図１に示すように、本考案に係るヘアードライヤーの電熱線構造は絶縁プレート組１０と電熱線２０を含み、該絶縁プレート組１０は、断面が十字形になるように四枚の絶縁プレート１１から構成されてなり、それぞれ隣合う絶縁プレート１１との間に収容空間３０が形成されている。各絶縁プレート１１の両端には夫々導電端１１０が設けられている。電熱線２０は、連続の山谷状態に折り曲げて構成されたらせん状電線であり、隣合う絶縁プレート１１間に形成された収容空間３０に配設され、該電熱線２０の両端は前記導電端１１０に接続される。
【００１２】
図２に示すように、本考案に係るヘアードライヤーの電熱線構造では、電熱線２０に、それぞれ異なる方向へ折り曲げられた電熱線ユニット２１，２２が設けられていて、各電熱線ユニット２１，２２によって発生する磁場が異なり、各磁場を相殺することにより減衰して、電磁波の影響を少なくすることができる。
【実施例２】
【００１３】
図３に示すように、本考案に係るヘアードライヤーの電熱線構造の第２実施例は、絶縁プレート組１０に形成されている４つの収容空間３０夫々に一つずつ電熱線２０が設けられることにより、より大きい加熱効果を提供するようにしたものである。
【００１４】
又、図４に示すように、本考案に係るヘアードライヤーの電熱線構造の第２実施例の変形例は、絶縁プレート組１０において、相対向した２つの収容空間３０にだけ電熱線２０を一つずつ設けることで電熱線設置数を減らし、上記第２実施例の加熱力ほどは強力ではない普通程度の加熱効果を提供するものである。
【産業上の利用可能性】
【００１５】
本考案は上記の構成を有するので、絶縁プレート組と電熱線を含み、該絶縁プレート組は、４枚の絶縁プレートからなる断面が十字形であり、隣合う絶縁プレートの間に収容空間が形成され、各絶縁プレートの両端に夫々導電端が設けられ、電熱線は、連続に折り曲げられて、隣合う絶縁プレートの収容空間に設けられたらせん状の電線であり、該電熱線の両端が該導電端と接続され、電熱線においては、異なる方向へ折り曲げられた電熱線ユニットが設けられ、各電熱線ユニットによって発生する磁場が異なり、各磁場を相殺することにより減衰し、電磁波の影響を少なくすることができる。
【図面の簡単な説明】
【００１６】
【図１】本考案に係るヘアードライヤーの電熱線構造の第１実施例を示す斜視図である。
【図２】本考案に係るヘアードライヤーの電熱線構造の部分斜視図である。
【図３】本考案に係るヘアードライヤーの電熱線構造の第２実施例を示す斜視図である。
【図４】本考案に係るヘアードライヤーの電熱線構造の第２実施例を示す斜視図である。
【図５】従来のヘアードライヤーを示す断面図である。
【図６】従来のヘアードライヤーの電熱線構造を示す斜視図である。
【符号の説明】
【００１７】
１０        絶縁プレート組
１１        絶縁プレート
１１０      導電端
２０        電熱線
２１        電熱線ユニット
２２        電熱線ユニット
３０        収容空間
４０        ケース
４１        吹出口
４２        バルレ
４３        収容部
５０        モータ
６０        ファン
７０        ヒーターユニット
７１        絶縁プレート組
７２        電熱線
【図１】
0003117518.tif 000003
【図２】
0003117518.tif 000004
【図３】
0003117518.tif 000005
【図４】
0003117518.tif 000006
【図５】
0003117518.tif 000007
【図６】
0003117518.tif 000008